(57)【要約】【課題】比較的構造が簡単で生産性に優れながらも、良好な電気的特性を得る。【解決手段】同軸のセミリジッドケーブルでなる給電線路３２と、給電線路３２の外部導体に接続された、第１の対象周波数の波長に対応した長さの漏洩電流阻止用のチョーク３３と、チョーク３３と所定の間隔をあけた上記給電線路３２の先端位置に同軸的に取付けられ、給電線路３２の外部導体と接続された第２の対象周波数用スリーブ３５と、給電線路３２の先端位置でその中心導体に接続された、基板３６ａに第１及び第２の対象周波数用の２種類の共振用パターン３６ｂ，３６ｃを形成した放射素子部３６とを備える。【選択図】    図１
2004254002.tif 000002
【特許請求の範囲】
【請求項１】
第１の対象周波数と、この第１の対象周波数より高い第２の対象周波数に対応した２波共用スリーブアンテナであって、
同軸線路と、
この同軸線路の外部導体に接続された、上記第１の対象周波数の波長に対応した長さを有する漏洩電流阻止用のチョークと、
このチョークと所定の間隔をあけた上記同軸線路の先端位置に同軸的に取付けられ、該同軸線路の外部導体と接続された第２の対象周波数用スリーブと、
上記同軸線路の先端位置でその中心導体に接続された、上記第１の対象周波数用及び第２の対象周波数用の２種類の放射素子を一体に形成した放射素子部と
を具備したことを特徴とする２波共用スリーブアンテナ。
【請求項２】
上記放射素子部は、基板上に上記２種類の放射素子をパターン形成したものであることを特徴とする請求項１記載の２波共用スリーブアンテナ。
【請求項３】
上記放射素子部は、第１の対象周波数用の放射素子に対してスリーブでなる第２の対象周波数用の放射素子を同軸的に配置したものであることを特徴とする請求項１記載の２波共用スリーブアンテナ。
【請求項４】
上記同軸線路はセミリジッドケーブルでなることを特徴とする請求項１記載の２波共用スリーブアンテナ。
【発明の詳細な説明】
【０００１】
【発明の属する技術分野】
本発明は、１本のアンテナで２つの周波数帯の送受信を行なう２波共用スリーブアンテナに関する。
【０００２】
【従来の技術】
従来から用いられてきた２波共用アンテナの代表的な構成について図３及び図４により例示する。
【０００３】
図３は、スリーブ型の２波共用アンテナの構成を示すものである。同図で、給電コネクタ１１に対して同軸ケーブルでなる給電線路１２が接続される。この給電線路１２の先端で、その外部導体が、当該給電線路１２と同軸的に設けられる、有底筒状の金属製パイプで構成された２重スリーブである第１共振放射部１３及び第２共振放射部１４と接続される。
【０００４】
内側に位置する第１共振放射部１３は、外側に位置する第２共振放射部１４より長く、図中では下方向に示すその先端は開放されている。同様に図中では下方向に示す第２共振放射部１４の先端も開放されている。
【０００５】
また、給電線路１２の先端の中心導体には、これも有底筒状の金属製パイプで構成された２重スリーブである第１共振放射部１５及び第２共振放射部１６が接続される。内側に位置する第１共振放射部１５は、外側に位置する第２共振放射部１６より長く、上下端とも底部により閉じられている。一方、図中では上方向に示す第２共振放射部１６の先端は開放されている。
【０００６】
このような構成にあって、第１共振放射部１３，１５による第１の対象周波数帯の有効アンテナ長がｄ１１、第２共振放射部１４，１６による第２の対象周波数帯の有効アンテナ長がｄ１２となるもので、これら第１及び第２の対象周波数帯での送受信が可能となる。
【０００７】
図４は、位相コイル型の２波共用アンテナの構成を示すものである。同図で、給電コネクタ２１に対して整合部２２を介して第２共振放射部２３が接続され、さらにこの第２共振放射部２３に対して位相コイル２４を介して第２共振放射部２５が接続される。位相コイル２４を挟んで位置するこれら一対の第２共振放射部２３，２５は、全体で第１の共振放射部２６としても機能する。
【０００８】
このような構成にあって、位相コイル２４を介在した２つの第２共振放射部２３，２５からなる第１の共振放射部２６による第１の対象周波数帯の有効アンテナ長がｄ２１、第２共振放射部２５のみによる第２の対象周波数帯の有効アンテナ長がｄ２２となるもので、これら第１及び第２の対象周波数帯での送受信が可能となる。
【０００９】
【発明が解決しようとする課題】
しかしながら、上記図３に示したスリーブ型の２波共用アンテナは、構造が複雑であり製作が容易ではないため、非常に製造コストが高いものとなってしまう。加えて、同軸的に配置された２重の金属製パイプを２つ接続する構造となるので、全体が太くて重たいものとなってしまい、設置位置に制限を受け易い。
【００１０】
また上記図４に示した位相コイル型の２波共用アンテナは、構造的には簡素化されており、生産性は高いものの、１／２波長で共振させて使用する際には有効な周波数帯域が狭く、必要な帯域を確保できない場合がある。
【００１１】
さらに、１／４波長で共振させて使用する際には、実用に供する指向性パターンを得るためにアンテナ本体の他に、直径が１／２波長以上の平坦なグランド板か１／４波長の地線が必要となり、結果的に複雑な構成となってしまう。
【００１２】
本発明は上記のような実情に鑑みてなされたもので、その目的とするところは、比較的構造が簡単で生産性に優れながらも、良好な電気的特性を得ることが可能な２波共用スリーブアンテナを提供することにある。
【００１３】
【課題を解決するための手段】
請求項１記載の発明は、第１の対象周波数と、この第１の対象周波数より高い第２の対象周波数に対応した２波共用スリーブアンテナであって、同軸線路と、この同軸線路の外部導体に接続された、上記第１の対象周波数の波長に対応した長さを有する漏洩電流阻止用のチョークと、このチョークと所定の間隔をあけた上記同軸線路の先端位置に同軸的に取付けられ、該同軸線路の外部導体と接続された第２の対象周波数用スリーブと、上記同軸線路の先端位置でその中心導体に接続された、上記第１の対象周波数用及び第２の対象周波数用の２種類の放射素子を一体に形成した放射素子部とを具備したことを特徴とする。
【００１４】
このような構成とすれば、比較的構造が簡単で生産性に優れる点に加えて、上記漏洩電流阻止用のチョークの取付け位置により容易に上記第１の対象周波数の共振周波数を決定できる。
【００１５】
請求項２記載の発明は、上記請求項１記載の発明において、上記放射素子部は、基板上に上記２種類の放射素子をパターン形成したものであることを特徴とする。
【００１６】
このような構成とすれば、上記請求項１記載の発明の作用に加えて、２種類の放射素子をパターン形成した基板を半田付け等で容易に同軸線路先端の中心導体に接続でき、生産性をより向上させることができる上に、電気的特性においても、２種類の放射素子をパターン形成した基板によりアンテナインピーダンスの調整が容易で、且つ広帯域化が可能となる。
【００１７】
請求項３記載の発明は、上記請求項１記載の発明において、上記放射素子部は、第１の対象周波数用の放射素子に対してスリーブでなる第２の対象周波数用の放射素子を同軸的に配置したものであることを特徴とする。
【００１８】
このような構成とすれば、上記請求項１記載の発明の作用に加えて、歪みが少なくきれいな無指向性を得ることができるため、さらに水平面の特性を向上させることができる。
【００１９】
請求項４記載の発明によれば、上記請求項１記載の発明において、上記同軸線路はセミリジッドケーブルでなることを特徴とする。
【００２０】
このような構成とすれば、上記請求項１記載の発明の作用に加えて、アンテナ全体を剛構造とすることに寄与できる。
【００２１】
【発明の実施の形態】
以下図面を参照して本発明の実施の一形態に係る２波共用スリーブアンテナについて説明する。
【００２２】
図１はその構成を示すもので、給電コネクタ３１に対して同軸のセミリジッドケーブルでなる給電線路３２が接続される。この給電線路３２に対し、第１の対象周波数の１／４波長分の長さを有する第１共振用チョーク３３が漏洩電流を阻止するものとして取付けられる。
【００２３】
さらに、第１共振用チョーク３３と所定の間隔をあけて給電線路３２の先端位置に同軸的に有底筒状の金属製パイプによるスリーブでなる第２共振用地線３５を同軸的に配置し、給電線路３２の導体と接続する。これにより、第１共振用チョーク３３と第２共振用地線３５との間の給電線路３２は第１共振用地線３４として機能する。
【００２４】
加えて、給電線路３２先端にはさらに放射素子部３６が設けられる。この放射素子部３６は、基板３６ａ上に第１の対象周波数用の共振パターン３６ｂと第２の対象周波数用の共振パターン３６ｃが一体に形成されてなるもので、基板３６ａが第２共振用地線３５の底面に対して例えば２箇所の半田付けにより立設するように装着された上で、第１共振パターン３６ｂと第２共振パターン３６ｃの中点位置が上記給電線路３２の中心導体と接続される。
【００２５】
なお、上記に示したアンテナは、耐候性等を考慮して実際には誘電体でなるケースカバーに収納された状態で使用される。
【００２６】
このような構成にあって、本アンテナは第１の対象周波数に対しては逆スリーブアンテナ、第１の対象周波数より高い第２の対象周波数に対してはスリーブアンテナとして機能する。
【００２７】
すなわち、放射素子部３６の第１共振パターン３６ｂから第１共振用地線３４に至る範囲の第１の対象周波数の有効アンテナ長がｄ３１、放射素子部３６の第２共振パターン３６ｃと第２共振用地線３５による第２の対象周波数の有効アンテナ長がｄ３２となるもので、これら第１及び第２の対象周波数帯での送受信が可能となる。
【００２８】
その場合、給電線路３２に対して取付ける上記漏洩電流阻止用の第１共振用チョーク３３の位置により、容易に上記第１の対象周波数の共振周波数を決定できる。
【００２９】
このように、比較的簡単な構造で生産性に優れているため、製造コストを低く抑えながら、信頼性の高いものとできる。
【００３０】
また特に、放射素子部３６を、基板３６ａ上に第１共振パターン３６ｂ及び第２共振パターン３６ｃを形成するものとしたので、アンテナインピーダンスを所定の値、例えば５０［Ω］に設定することも容易であり、且つ広帯域化にも寄与できる。
【００３１】
さらに、給電線路３２をセミリジッドケーブルで構成するものとしたため、アンテナ全体を剛構造にできる。
【００３２】
次に図２により上記実施の形態に係る２波共用スリーブアンテナの他の構成を例示する。
【００３３】
基本的には上記図１で示したものと同様であるので、同一部分には同一符号を付してその説明を省略する。
【００３４】
しかして、上記放射素子部３６に代えて、棒状の第１共振用素子４１と、この第１共振用素子４１に対してスリーブでなる第２共振用素子４２を同軸的に配置して一体に構成するものとし、これらを給電線路３２先端の中心導体と接続する。
【００３５】
この場合、第１共振用素子４１から第１共振用地線３４に至る範囲の第１の対象周波数の有効アンテナ長がｄ４１、第２共振用素子４２と第２共振用地線３５による第２の対象周波数の有効アンテナ長がｄ４２となるもので、これら第１及び第２の対象周波数帯での送受信が可能となる。
【００３６】
このような構成とすれば、上記図１で示した構成の放射素子部３６の効果に代えて、歪みが少なくきれいな無指向性を得ることができるため、さらに水平面の特性を向上させることができる。
【００３７】
その他、本発明は上記実施の形態に限らず、その要旨を逸脱しない範囲内で種々変形して実施することが可能であるものとする。
【００３８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００３９】
【発明の効果】
請求項１記載の発明によれば、比較的構造が簡単で生産性に優れる点に加えて、上記漏洩電流阻止用のチョークの取付け位置により容易に上記第１の対象周波数の共振周波数を決定できる。
【００４０】
請求項２記載の発明によれば、上記請求項１記載の発明の効果に加えて、２種類の放射素子をパターン形成した基板を半田付け等で容易に同軸線路先端の中心導体に接続でき、生産性をより向上させることができる上に、電気的特性においても、２種類の放射素子をパターン形成した基板によりアンテナインピーダンスの調整が容易で、且つ広帯域化が可能となる。
【００４１】
請求項３記載の発明によれば、上記請求項１記載の発明の効果に加えて、歪みが少なくきれいな無指向性を得ることができるため、さらに水平面の特性を向上させることができる。
【００４２】
請求項４記載の発明によれば、上記請求項１記載の発明の効果に加えて、アンテナ全体を剛構造とすることに寄与できる。
【図面の簡単な説明】
【図１】本発明の実施の一形態に係る２波共用スリーブアンテナの構成を示す図。
【図２】同実施の形態に係る２波共用スリーブアンテナの他の構成を示す図。
【図３】従来のスリーブ型２波共用アンテナの構成を示す図。
【図４】従来の位相コイル型２波共用アンテナの構成を示す図。
【符号の説明】
１１…給電コネクタ、１２…給電線路、１３…第１共振放射部、１４…第２共振放射部、１５…第１共振放射部、２１…給電コネクタ、２２…整合部、２３…第２共振放射部、２４…位相コイル、２５…第２共振放射部、２６…第１の共振放射部、３１…給電コネクタ、３２…給電線路、３３…第１共振用チョーク、３４…第１共振用地線、３５…第２共振用地線（スリーブ）、３６…放射素子部、３６ａ…基板、３６ｂ…第１共振パターン、３６ｃ…第２共振パターン、４１…第１共振用素子、４２…第２共振用素子。
【図１】
2004254002.tif 000003
【図２】
2004254002.tif 000004
【図３】
2004254002.tif 000005
【図４】
2004254002.tif 000006